(57)【特許請求の範囲】
【請求項１】
充電装置に載置されることによって充電される端末装置であって、
前記充電装置に載置されたことを検出する載置検出手段と、
当該端末装置を構成する筐体の使用状態を示すスタイルを検出するスタイル検出手段と、
前記載置検出手段によって前記充電装置に載置されたことが検出された際に、前記スタイル検出手段によって検出されたスタイルに基づいて充電を制御する制御手段と、
を具備したことを特徴とする端末装置。
【請求項２】
充電を制御するための充電条件が前記スタイルと対応付けられて記憶されている記憶部から、前記スタイル検出手段によって検出されたスタイルと対応付けられて記憶されている充電条件を読み出す読出手段を更に備え、
前記制御手段は、前記読出手段によって読み出された充電条件に基づいて、充電を制御する、
ようにしたことを特徴とする請求項１記載の端末装置。
【請求項３】
充電状態を検出する充電状態検出手段を更に備え、
前記制御手段は、前記スタイル検出手段によって検出されたスタイルと前記充電状態検出手段によって検出された充電状態とに基づいて充電を制御する、
ようにしたことを特徴とする請求項１記載の端末装置。
【請求項４】
前記充電を制御するための制御情報を前記充電装置に送信する送信手段を更に備える、
ようにしたことを特徴とする請求項１記載の端末装置。
【請求項５】
載置された端末装置に対して充電を行う充電装置であって、
前記端末装置が載置されたことを検出する載置検出手段と、
この載置検出手段によって端末装置が載置されたことが検出された場合に、この端末装置を構成する筐体の使用状態を示すスタイルを検出するスタイル検出手段と、
このスタイル検出手段によって検出されたスタイルに基づいて前記端末装置に対する充電を制御する制御手段と、
を具備したことを特徴とする充電装置。
【請求項６】
充電を制御するための充電条件が前記スタイルと対応付けられて記憶されている記憶部から、前記スタイル検出手段によって検出されたスタイルと対応付けられて記憶されている充電条件を読み出す読出手段を更に備え、
前記制御手段は、前記読出手段によって読み出された充電条件に基づいて充電を制御する、
ようにしたことを特徴とする請求項５記載の充電装置。
【請求項７】
充電状態を検出する充電状態検出手段を更に備え、
前記制御手段は、前記スタイル検出手段によって検出されたスタイルと前記充電状態検出手段によって検出された充電状態とに基づいて充電を制御する、
ようにしたことを特徴とする請求項５記載の充電装置。
【請求項８】
前記充電を制御するための制御情報を前記端末装置に送信する送信手段を更に備える、
ようにしたことを特徴とする請求項５記載の充電装置。
【請求項９】
前記スタイル検出手段は、スタイルを示すスタイル情報を前記端末装置から取得することによってスタイルを検出する、
ようにしたことを特徴とする請求項５記載の充電装置。
【請求項１０】
コンピュータに対して、
充電装置に載置されたことを検出する機能と、
筐体の使用状態を示すスタイルを検出する機能と、
前記充電装置に載置されたことが検出された際に、前記検出されたスタイルに基づいて充電を制御する機能と、
を実現させるためのプログラム。
【請求項１１】
コンピュータに対して、
端末装置が載置されたことを検出する機能と、
前記載置されたことが検出された端末装置を構成する筐体の使用状態を示すスタイルを検出する機能と、
前記検出されたスタイルに基づいて前記端末装置に対する充電を制御する機能と、
を実現させるためのプログラム。
【発明の詳細な説明】
【技術分野】
【０００１】
本発明は、充電装置に載置されることによって充電される端末装置及びその充電装置並びにプログラムに関する。
【背景技術】
【０００２】
近年、携帯電話機などの端末装置に対して充電を行う充電装置としては、端末装置が載置されるだけで充電を開始するようにしたものが実用化されている。この種の充電装置は、非接触充電方式（例えば、電磁誘導方式）を採用し、金属電極が不要となるために防水や防塵構造を確保する上で有効なもので、例えば、従来では、充電用の一次コイルを備えた充電シート状の充電器を用いて、被充電機器を充電するようにした無接点充電システムが開示されている（特許文献１参照）。この種の載置型の充電装置にあっては、充電シート上に端末装置を載置する際に、厳密な位置に載置する必要がないため、比較的自由に載置することが可能となるというメリットを有している。
【先行技術文献】
【特許文献】
【０００３】
【特許文献１】特開２００５−００６４４０号公報
【発明の概要】
【発明が解決しようとする課題】
【０００４】
ところで、上述のような充電の方法では、ユーザが端末装置を充電する意図がなくても、充電装置に端末装置を載置するだけで、端末装置の充電が開始されてしまうという問題があった。
【０００５】
本発明の課題は、端末装置の充電を適切に制御できるようにすることである。
【課題を解決するための手段】
【０００６】
上述した課題を解決するために請求項１記載の発明は、充電装置に載置されることによって充電される端末装置であって、前記充電装置に載置されたことを検出する載置検出手段と、当該端末装置を構成する筐体の使用状態を示すスタイルを検出するスタイル検出手段と、前記載置検出手段によって前記充電装置に載置されたことが検出された際に、前記スタイル検出手段によって検出されたスタイルに基づいて充電を制御する制御手段と、を具備したことを特徴とする。
【０００７】
請求項１に従属する発明として、充電を制御するための充電条件が前記スタイルと対応付けられて記憶されている記憶部から、前記スタイル検出手段によって検出されたスタイルと対応付けられて記憶されている充電条件を読み出す読出手段を更に備え、前記制御手段は、前記読出手段によって読み出された充電条件に基づいて、充電を制御する、ようにしたことを特徴とする請求項２記載の発明であってもよい。
【０００８】
請求項１に従属する発明として、充電状態を検出する充電状態検出手段を更に備え、前記制御手段は、前記スタイル検出手段によって検出されたスタイルと前記充電状態検出手段によって検出された充電状態とに基づいて充電を制御する、ようにしたことを特徴とする請求項３記載の発明であってもよい。
【０００９】
請求項１に従属する発明として、前記充電を制御するための制御情報を前記充電装置に送信する送信手段を更に備える、ようにしたことを特徴とする請求項４記載の発明であってもよい。
【００１０】
また、上述した課題を解決するために請求項５記載の発明は、載置された端末装置に対して充電を行う充電装置であって、前記端末装置が載置されたことを検出する載置検出手段と、この載置検出手段によって端末装置が載置されたことが検出された場合に、この端末装置を構成する筐体の使用状態を示すスタイルを検出するスタイル検出手段と、このスタイル検出手段によって検出されたスタイルに基づいて前記端末装置に対する充電を制御する制御手段と、を具備したことを特徴とする。
【００１１】
請求項５に従属する発明として、充電を制御するための充電条件が前記スタイルと対応付けられて記憶されている記憶部から、前記スタイル検出手段によって検出されたスタイルと対応付けられて記憶されている充電条件を読み出す読出手段を更に備え、前記制御手段は、前記読出手段によって読み出された充電条件に基づいて充電を制御する、ようにしたことを特徴とする請求項６記載の発明であってもよい。
【００１２】
請求項５に従属する発明として、充電状態を検出する充電状態検出手段を更に備え、前記制御手段は、前記スタイル検出手段によって検出されたスタイルと前記充電状態検出手段によって検出された充電状態とに基づいて充電を制御する、ようにしたことを特徴とする請求項７記載の発明であってもよい。
【００１３】
請求項５に従属する発明として、前記充電を制御するための制御情報を前記端末装置に送信する送信手段を更に備える、ようにしたことを特徴とする請求項８記載の発明であってもよい。
【００１４】
請求項５に従属する発明として、前記スタイル検出手段は、スタイルを示すスタイル情報を前記端末装置から取得することによってスタイルを検出する、ようにしたことを特徴とする請求項９記載の発明であってもよい。
【００１５】
また、上述した課題を解決するために請求項１０記載の発明は、コンピュータに対して、充電装置に載置されたことを検出する機能と、筐体の使用状態を示すスタイルを検出する機能と、前記充電装置に載置されたことが検出された際に、前記検出されたスタイルに基づいて充電を制御する機能と、を実現させるためのプログラムを特徴とする。
【００１６】
また、上述した課題を解決するために請求項１１記載の発明は、コンピュータに対して、端末装置が載置されたことを検出する機能と、前記載置されたことが検出された端末装置を構成する筐体の使用状態を示すスタイルを検出する機能と、前記検出されたスタイルに基づいて前記端末装置に対する充電を制御する機能と、を実現させるためのプログラムを特徴とする。
【発明の効果】
【００１７】
本発明によれば、端末装置の充電を適切に制御することができ、実用性に富んだものとなる。
【図面の簡単な説明】
【００１８】
【図１】本実施形態は、端末装置として適用した携帯電話機が利用可能な通信ネットワークシステムを示したブロック図。
【図２】携帯電話機１の基本的な構成要素を示したブロック図。
【図３】携帯電話機１の外観図で、（１）は、操作部筐体１１２と表示部筐体１１３とを折り畳んで閉じた状態のクローズスタイル、（２）は、クローズスタイルから表示部筐体１１３の折り畳みを開いた状態のオープンスタイル、（３）は、オープンスタイルから表示部筐体１１３を１８０度反転させて折り畳んだ状態のビュースタイルを示した図。
【図４】充電装置２の基本的な構成要素を示したブロック図。
【図５】携帯電話機１及び充電装置２の外観図を示で、クローズスタイルの携帯電話機１を充電装置２に載置する際の状態を示した図。
【図６】携帯電話機１側に設けた充電条件記憶部Ｍ１３を説明するための図。
【図７】携帯電話機１の全体動作の概要を示したフローチャート。
【図８】携帯電話機１側の充電開始処理（図７のステップＡ５）を詳述するためのフローチャート。
【図９】携帯電話機１側の充電継続処理（図７のステップＡ７）を詳述するためのフローチャート。
【図１０】充電装置２側の全体動作の概要を示したフローチャート。
【図１１】第２実施形態において携帯電話機１側の記憶部１０３を説明するための図。
【図１２】第２実施形態において充電装置２側の記憶部２０３を説明するための図。
【図１３】第２実施形態において充電装置２側に設けた充電条件記憶部Ｍ２３を説明するための図。
【図１４】第２実施形態において充電装置２側の全体動作の概要を示したフローチャート。
【図１５】第２実施形態において充電装置２側の充電開始処理（図１４のステップＥ３）を詳述するためのフローチャート。
【図１６】第２実施形態において充電装置２側の充電継続処理（図１４のステップＥ５）を詳述するためのフローチャート。
【図１７】第２実施形態において携帯電話機１側の全体動作の概要を示したフローチャート。
【発明を実施するための形態】
【００１９】
（実施形態１）
【００２０】
以下、図１〜図１０を参照して本発明の第１実施形態を説明する。
本実施形態は、端末装置として携帯電話機に適用した場合を例示したもので、図１は、この携帯電話機が利用可能な通信ネットワークシステムを示したブロック図である。
携帯電話機１は、例えば、２つの筐体（操作部筐体、表示部筐体）が開閉可能に取り付けられていると共に、一方の筐体が回転可能に取り付けられている２軸ヒンジタイプで、音声通話機能、電子メール機能、インターネット接続機能（Ｗｅｂアクセス機能）などを備え、この携帯電話機１に対する充電は、載置型の充電装置２に載置させることによって行うようにしている。
【００２１】
充電装置２は、携帯電話機１への充電が可能なもので、例えば、商用電源などに電源ケーブル３を介して接続されている。携帯電話機１は、最寄りの基地局４Ａ、交換機４Ｂから無線通信網（移動体通信網）４に接続されると、この無線通信網４を介して他の携帯電話機（図示省略）との間で通話可能な状態となる。また、携帯電話機１は、無線通信網４を介してインターネット５に接続されると、電子メールの送受信が可能となったり、Ｗｅｂページを閲覧可能となったりする。
【００２２】
図２は、携帯電話機１の基本的な構成要素を示したブロック図である。
中央制御部１０１は、二次電池ＢＡＴを備えた電池部１０２からの電力供給によって動作し、記憶部１０３内の各種のプログラムに応じてこの携帯電話機１の全体動作を制御する中央演算処理装置やメモリ（図示省略）などを有している。電池部１０２は、携帯電話機１が充電装置２に載置されている状態において、充電装置２との間で非接触充電方式（例えば、電磁誘導方式）によって充電が行われるもので、二次電池ＢＡＴ、充電用二次コイルＣＯＬ（２）のほか、充電切替部ＳＷＡ、電池電圧検出部ＢＶＤを有する構成となっている。
【００２３】
電池部１０２内の充電切替部ＳＷＡは、“充電”とその“抑制”とを切り替えるもので、例えば、スイッチングトランジスタなどによって構成され、中央制御部１０１は、この充電切替部ＳＷＡに対して、充電開始指示や充電抑制指示を与えることによって“充電”と“抑制”との切り替えを制御するようにしている。また、電池部１０２内の電池電圧検出部ＢＶＤは、二次電池ＢＡＴの電圧を取得してデジタル値（電池電圧値）に変換するもので、中央制御部１０１は、二次電池ＢＡＴの放電特性によって決められている複数の電圧範囲内のいずれかに電池電圧値が含まれているかに応じて電池残量（％）を検出するようにしている。
【００２４】
記憶部１０３には、プログラム記憶部Ｍ１１、各種情報一時記憶部Ｍ１２などのほか、後述する充電条件記憶部Ｍ１３が設けられている。なお、記憶部１０３は、例えば、ＳＤカード、ＩＣカードなど、着脱自在な可搬型メモリ（記録メディア）を含む構成であってもよく、図示しない所定の外部サーバ上にあってもよい。プログラム記憶部Ｍ１１は、後述する図７〜図９に示した動作手順に応じて本実施形態を実現するための基本プログラムやアプリケーションプログラム、それに必要な情報などを記憶する。各種情報一時記憶部Ｍ１２は、フラグ情報（後述する充電中フラグ、載置フラグ、充電保留フラグなど）、画面情報など、携帯電話機１が動作するために必要な各種の情報を一時的に記憶するワーク領域である。なお、充電条件記憶部Ｍ１３については、後述するものとする。
【００２５】
無線通信部１０４は、図示しない無線部、ベースバンド部、多重分離部などを備え、例えば、通話機能、電子メール機能、インターネット接続機能などの動作時に、最寄りの基地局４Ａとの間でデータの送受信を行うもので、通話機能の動作時にはベースバンド部の受信側から信号を取り込んで受信ベースバンド信号に復調したのち、音声信号処理部１０５を介して通話用スピーカＳＰから音声出力させ、また、通話用マイクＭＣからの入力音声データを音声信号処理部１０５から取り込み、送信ベースバンド信号に符号化した後、ベースバンド部の送信側に与えてアンテナＡＮ１から発信出力させる。
【００２６】
表示部１０６は、高精細液晶や有機ＥＬを使用し、例えば、待受画像、アイコン、日時情報のほか、テキストデータ、メール、Ｗｅｂページなどを表示する。なお、表示部１０６は携帯電話機１に備えられている表示部としたが、外部モニタなど、任意の外部表示装置であってもよい。操作部１０７は、ダイヤル入力、文字入力、コマンド入力などを入力するもので、中央制御部１０１は、この操作部１０７からの入力操作信号に応じた処理を実行する。ＲＴＣ（リアルタイムクロックモジュール）１０８は、時計部を構成するもので、中央制御部１０１は、ＲＴＣ１０８から現在日時を取得する。
【００２７】
報知部１０９は、サウンドスピーカ１０９Ａ、発光部１０９Ｂ、振動モータ１０９Ｃを備え、着信時に駆動されて着信報知を行うほか、アラーム報知時、充電時にも駆動される。更に、発光部１０９Ｂは、携帯電話機１が充電装置２に載置されている状態においてその載置状況を報知する報知手段としても利用されるもので、例えば、ＬＥＤ（発光ダイオード）によって構成されているが、ＬＥＤに限らず、任意の発光体であってもよい。非接触通信部１１０は、携帯電話機１が充電装置２に載置されている状態において、充電装置２との間で非接触通信によってデータの送受信を、アンテナＡＮ２を介して行うもので、例えば、非接触ＩＣカード、Bluetooth（登録商標）、赤外線通信などの非接触タイプの近距離通信手段によって構成されている。中央制御部１０１は、この非接触通信部１１０から充電装置２に対して、充電を制御するための制御情報として充電の開始指示や充電の抑制指示を送信するようにしている。
【００２８】
スタイル検出部１１１は、携帯電話機１を構成する筐体の使用状態を示すスタイルを検出するもので、例えば、筐体の各所に磁石と磁力センサを配置して、この磁力センサの出力からスタイルを検出する構成となっている。すなわち、スタイル検出部１１１は、２軸ヒンジタイプの携帯電話機１におけるスタイルとして、後述するクローズスタイル、オープンスタイル、ビュースタイルを検出するもので、携帯電話機１が充電装置２に載置された際に、スタイルの検出を行う。中央制御部１０１は、スタイル検出部１１１によって検出されたスタイルに基づいて携帯電話機１の充電を制御するようにしている。
【００２９】
図３は、携帯電話機１の外観図である。
携帯電話機１は、操作部１０７を備える操作部筐体１１２と表示部１０６を備える表示部筐体１１３とを有し、この操作部筐体１１２と表示部筐体１１３とは、２軸ヒンジ部１１４を介して取り付けられている。すなわち、携帯電話機１は、操作部筐体１１２と表示部筐体１１３とが開閉可能（折り畳み可能）に取り付けられていると共に、操作部筐体１１１２に対して表示部筐体１１３がその表裏が反転可能となるように取り付けられてなる２軸ヒンジタイプの携帯電話機で、図３（１）は、操作部筐体１１２と表示部筐体１１３とを折り畳んで閉じた状態となるクローズスタイルを示している。
【００３０】
図３（２）は、クローズスタイルから表示部筐体１１３の折り畳みを開いた状態で、表示部１６及び操作部１７が露出した状態となるオープンスタイルを示している。なお、操作部筐体１１２の内面側には通話用マイクＭＣが設けられ、表示部筐体１１３の内面側には通話用スピーカＳＰが設けられている。また、操作部筐体１１２の下側部（２軸ヒンジ部１１４の反対側の側部）には発光部１０９Ｂが設けられている（図３（２）では図示省略）。図３（３）は、オープンスタイルから表示部筐体１１３を１８０度反転させて折り畳んだ状態で、表示部１０６が露出し、かつ操作部１０７が隠れた状態となるスタイル、言い換えれば、クローズスタイルでは内側となる表示部１０６が外側となるビュースタイルを示している。なお、スタイルとは、所定のスタイルに変更されるまでの途中の形態（前後の形態）を含めるようにしてもよい。例えば、オープンスタイルとは、完全に折り畳みを開いた状態のみに限らず、その途中の形態（例えば、半開き以上開いた状態）をも含めるようにしてもよい。
【００３１】
図４は、充電装置２の基本的な構成要素を示したブロック図である。
充電装置２は、中央制御部２０１を中核とするもので、商用電源（図示省略）などから電源ケーブル接続部２０２を介して供給される電力によって動作する。中央制御部２０１は、記憶部２０３内の各種のプログラムに応じてこの充電装置２の全体動作を制御するもので、中央演算処理装置やメモリ（図示省略）などを有している。この記憶部２０３には、プログラム記憶部Ｍ２１、各種情報一時記憶部Ｍ２２などが設けられている。プログラム記憶部Ｍ２１は、後述する図１０に示した動作手順に応じて本実施形態を実現するためのプログラムやそれに必要な情報などを記憶する。各種情報一時記憶部Ｍ２２は、フラグ情報、画面情報など、充電装置２が動作するために必要な各種の情報を一時的に記憶するワーク領域である。
【００３２】
充電部２０４は、携帯電話機１が充電装置２に載置されている状態において、携帯電話機１との間で非接触充電方式（例えば、電磁誘導方式）によって充電を行うもので、１つ又は複数の充電用一次コイルＣＯＬ（１）のほか、“充電”とその“抑制”とを切り替える充電切替部（例えば、スイッチングトランジスタなど）ＳＷＢを有し、中央制御部２０１は、この充電切替部ＳＷＢに対して充電開始指示や充電抑制指示を与えて“充電”と“抑制”との切り替えを制御するようにしている。
【００３３】
非接触通信部２０５は、携帯電話機１が充電装置２に載置されている状態において、携帯電話機１との間で非接触通信によってデータの送受信を、アンテナＡＮ３を介して行うもので、例えば、非接触ＩＣカード、Bluetooth（登録商標）、赤外線通信などの非接触タイプの近距離通信手段によって構成されている。中央制御部２０１は、充電を制御するための制御情報として充電開始指示や充電抑制指示を、非接触通信部２０５を介して受信すると、それに応答して充電部２０４内の充電切替部ＳＷＢを制御してその切り替え動作を行わせる。操作部２０６は、電源オン／オフキーなどを備えている。発光部２０７は、携帯電話機１が充電装置２に載置された際に、その載置状況を報知するために、例えば、ＬＥＤを発光させる。
【００３４】
図５は、携帯電話機１及び充電装置２の外観図を示で、クローズスタイルの携帯電話機１を充電装置２に載置する際の状態を示した図である。
充電装置２は、その筐体全体が長方形状の薄型箱体を成し、その上面は携帯電話機１への充電時に携帯電話機１が載置される載置面２ａとなっている。なお、図５では図示省略したが、充電装置２を構成する筐体内においてその載置面２ａの下方には、１つ又は複数の充電用一次コイルＣＯＬ（１）が配設されている。また、充電装置２の一側面（正面）２ｂには、報知用の発光部２０７が設けられている。なお、図５では図示省略したが、充電装置２の背面には操作部２０６が設けられている。
【００３５】
図６は、携帯電話機１側の充電条件記憶部Ｍ１３を説明するための図である。
充電条件記憶部Ｍ１３は、携帯電話機１を構成する筐体の「スタイル」に対応付けて充電条件の「内容」を記憶するもので、図示の例では、“クローズスタイル”に対応して“充電する”が記憶され、“オープンスタイル”に対応して“充電しない”が記憶され、“ビュースタイル”に対応して“電池残量が３０％より少なくなれば充電する”が記憶されている。なお、この「スタイル」に対応する充電条件の「内容」は、ユーザ操作によって任意に設定可能となっている。携帯電話機１は、充電装置２に載置された際に、スタイル検出部１１１によって検出されたスタイルに基づいて充電条件記憶部Ｍ１３を検索し、そのスタイルに対応する充電条件を読み出して、この充電条件に応じて充電を制御するようにしている。
【００３６】
次に、第１実施形態における携帯電話機１及び充電装置２の動作概念を図７〜図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００３７】
図７は、携帯電話機１の全体動作の概要を示したフローチャートである。図１０は、充電装置２側の全体動作の概要を示したフローチャートである。
先ず、携帯電話機１側において中央制御部１０１は、電源を投入する電源オン操作が行われて電源がオンされている状態において（図７のステップＡ１でＹＥＳ）、何らかの操作が行われたか、着信を検出したかなどを調べる。すなわち、任意の情報を設定する設定操作が行われたかを調べたり（ステップＡ２）、充電装置２に載置されたことを検出したかを調べたり（ステップＡ４）、携帯電話機１が充電装置２に載置中であることを示す載置フラグが“１”であるかを調べたり（ステップＡ６）、充電装置２との載置が外れたかを調べたり（ステップＡ８）、電話着信を検出したかを調べたり（ステップＡ１２）、電源オフ操作が行われたかを調べたり（ステップＡ１５）、その他の操作が行われたかを調べたりする（ステップＡ１６）。
【００３８】
電話着信を検出したときには（ステップＡ１２でＹＥＳ）、通話可能状態とする通話処理を行った後（ステップＡ１３）、上述のステップＡ２に戻る。また、電源オフ操作が行われたときには（ステップＡ１４でＹＥＳ）、電源オフ処理を行った後（ステップＡ１５）、このフローの終了となるが、その他の操作が行われたときには（ステップＡ１６でＹＥＳ）、その操作に応じた処理として、例えば、発信処理などを行った後（ステップＡ１７）、上述のステップＡ２に戻る。
【００３９】
一方、充電装置２側において中央制御部２０１は、電源を投入する電源オン操作が行われたときには（図１０のステップＢ１でＹＥＳ）、携帯電話機１からの充電開始指示を受信したかを調べたり（ステップＢ２）、携帯電話機１からの充電抑制指示を受信したかを調べたり（ステップＢ５）、載置されている携帯電話機１が外されたかを調べたり（ステップＢ８）、電源オフ操作が行われたかを調べたり（ステップＢ９）、その他の操作が行われたかを調べたりする（ステップＢ１１）。いま、電源オフ操作が行われたときには（ステップＢ９でＹＥＳ）、電源オフ処理を行った後（ステップＢ１０）、このフローの終了となるが、その他の操作が行われたときには（ステップＢ１１でＹＥＳ）、その操作に応じた処理を行った後（ステップＢ１２）、上述のステップＢ２に戻る。
【００４０】
いま、携帯電話機１側において、充電装置２に載置されたことを検出すると、つまり、携帯電話機１側の電池部１０２と充電装置２側の充電部２０４との間において、電磁誘導作用による起電力が所定値よりも大きくなって、携帯電話機１が充電装置２に載置されたことを検出したときには（図７のステップＡ４でＹＥＳ）、現在のスタイルに対応する充電条件に応じて充電を開始するか否かを制御する充電開始処理に移る（ステップＡ５）。
【００４１】
図８は、携帯電話機１側の充電開始処理（図７のステップＡ５）を詳述するためのフローチャートである。
先ず、中央制御部１０１は、スタイル検出部１１１によって検出された現在のスタイルを取得し（ステップＣ１）、このスタイルに基づいて充電条件記憶部Ｍ１３を検索することによって該当する充電条件を読み出して（ステップＣ２）、各種情報一時記憶部Ｍ１２に一時記憶させると共に（ステップＣ３）、その充電条件の内容を判別し、“充電する”の充電条件を読み出したのかを調べたり（ステップＣ４）、“充電しない”／“電池残量が３０％より少なくなれば充電する”の充電条件を読み出したのかを調べたりする（ステップＣ１０）。
【００４２】
いま、“充電する”の充電条件を読み出したときには（ステップＣ４でＹＥＳ）、非接触通信部１１０を動作させて、充電開始指示を充電装置２側の非接触通信部２０５に対して送信するほか（ステップＣ５）、電池部１０２内の充電切替部ＳＷＡに対して充電開始指示を与え、充電可能状態に切り替えて充電を開始させる（ステップＣ６）。そして、発光部１０９Ｂを発光（例えば、赤色点灯）させると共に（ステップＣ７）、充電中であることを示すために充電中フラグを“１”とし（ステップＣ８）、更に、充電装置２に載置中であることを示すために載置フラグを“１”とする（ステップＣ９）。
【００４３】
“充電しない”の充電条件を読み出したときには（ステップＣ１０でＹＥＳ）、非接触通信部１１０を動作させて、充電抑制指示を充電装置２側の非接触通信部２０５に対して送信するほか（ステップＣ１１）、電池部１０２内の充電切替部ＳＷＡに対して充電抑制指示を与え、充電不可能な状態に切り替えて充電を抑制させた後（ステップＣ１２）、上述のステップＣ９に移り、載置フラグを“１”とする。
【００４４】
“電池残量が３０％より少なくなれば充電する”の充電条件を読み出したときには（ステップＣ１０でＮＯ）、電池電圧検出部ＢＶＤからの電圧値に基づいて電池残量を検出し（ステップＣ１３）、上述のステップＣ３で一時記憶した充電条件が示す電池残量と、今回検出した電池残量とを比較し（ステップＣ１４）、今回検出した電池残量は、その充電条件を満たすか否かに基づいて充電を行うか否かを判別する（ステップＣ１５）。ここで、電池残量が３０％よりも少なければ、その充電条件を満たすと判別されるので（ステップＣ１５でＹＥＳ）、上述のステップＣ５に移って充電開始指示を充電装置２側に送信した後、以下、上述と同様の動作を行う（ステップＣ６〜Ｃ９）。また、電池残量が３０％以上であれば、充電条件を満たさないと判別されるので（ステップＣ１５でＮＯ）、充電開始を保留することを示す充電保留フラグを“１”とした後（ステップＣ１６）、上述のステップＣ１１に移り、充電抑制指示を充電装置２側に対して送信するほか（ステップＣ１１）、充電不可能な状態に切り替えて充電を抑制させた後（ステップＣ１２）、載置フラグを“１”とする（ステップＣ９）。
【００４５】
このようにして携帯電話機１側において、図８の充電開始処理（図７のステップＡ５）が終わると、上述のステップＡ２に戻るが、いま、携帯電話機１が充電装置２に載置されていて、載置フラグが“１”となっているため、そのことがステップＡ６で検出されてステップＡ７に移り、現在の充電状態に応じて充電を継続するか否かを制御する充電継続処理を行う。
【００４６】
図９は、携帯電話機１側の充電継続処理（図７のステップＡ７）を詳述するためのフローチャートである。
先ず、中央制御部１０１は、充電中フラグは“１”であるかを調べ（ステップＤ１）、充電中フラグが“１”であれば（ステップＤ１でＹＥＳ）、電池電圧検出部ＢＶＤからの電圧値に基づいて電池残量を検出し（ステップＤ２）、電池残量は満充電（フル充電）状態の“１００％”であるかを調べる（ステップＤ３）。いま、電池残量が１００％でなければ（ステップＤ３でＮＯ）、充電を継続させるために図７のステップＡ２に戻るが、電池残量が１００％であれば（ステップＤ３でＹＥＳ）、充電抑制指示を充電装置２側に対して送信するほか（ステップＤ４）、電池部１０２内の充電切替部ＳＷＡに対して充電抑制指示を与え、充電不可能な状態に切り替えて充電を抑制させる（ステップＤ５）。そして、発光部１０９Ｂを消光させた後（ステップＤ６）、充電中フラグを“０”とする一方（ステップＤ７）、充電保留フラグを“１”とする（ステップＤ８）。
【００４７】
また、充電中フラグが“０”であれば（ステップＤ１でＮＯ）、充電保留フラグは“１”であるかを調べ（ステップＤ９）、充電保留フラグが“０”であれば（ステップＤ９でＮＯ）、現在、充電中でも充電保留中でもなくて、充電を行っていない場合であるから図７のステップＡ２に戻る。また、充電保留フラグが“１”であれば（ステップＤ９でＹＥＳ）、つまり、携帯電話機１が充電装置２に載置されている状態で充電保留中の場合には、電池残量に応じて充電を開始させる処理に移る（ステップＤ１０〜Ｄ１８）。すなわち、携帯電話機１が充電装置２に載置された載置直後には、電池残量が多く充電条件を満たさなかったために充電を開始しなかったが、載置されたまま時間が経過し、電池残量が少なくなって充電条件を満たすようになった場合に充電を開始させるために、充電開始処理に移る（ステップＤ１０〜Ｄ１８）。また、電池残量が１００％になったために充電を一旦終了させたが、その後、載置されたまま時間が経過し、電池残量が少なくなって充電条件を満たすようになった場合に充電を開始させるために、充電開始処理に移る（ステップＤ１０〜Ｄ１８）。
【００４８】
先ず、電池電圧検出部ＢＶＤからの電圧値に基づいて電池残量を検出し（ステップＤ１０）、図８のステップＣ３で一時記憶した充電条件を読み出し（ステップＤ１１）、この充電条件の電池残量と、今回検出した電池残量とを比較し（ステップＤ１２）、今回検出の電池残量は、充電条件を満たすか否かに基づいて充電するか否かを判別する（ステップＤ１３）。ここで、電池残量が３０％以上であれば、充電条件を満たないので、充電しないと判別する（ステップＤ１３でＮＯ）。この場合、充電保留状態を継続させるために図７のステップＡ２に戻るが、充電をすると判別したときには（ステップＤ１３でＹＥＳ）、充電開始指示を充電装置２側に対して送信するほか（ステップＤ１４）、電池部１０２内の充電切替部ＳＷＡに対して充電開始指示を与え、充電可能状態に切り替えて充電を開始させる（ステップＤ１５）。そして、発光部１０９Ｂを発光（例えば、赤色点灯）させると共に（ステップＤ１６）、充電中フラグを“１”とし（ステップＤ１７）、更に、充電保留フラグを“０”とする（ステップＤ１８）。
【００４９】
他方、充電装置２側では、携帯電話機１からの充電開始指示を、非接触通信部２０５を介して受信したときには（図１０のステップＢ２でＹＥＳ）、中央制御部２０１は、充電部２０４内の充電切替部ＳＷＢに対して充電開始指示を与え、充電可能状態に切り替えて充電を開始させる（ステップＢ３）。そして、発光部２０７を発光（例えば、赤色点灯）させた後（ステップＢ４）、ステップＢ２に戻る。これによって携帯電話機１側及び充電装置２側が充電可能状態になると、充電部２０４内の充電用一次コイルＣＯＬ（１）と電池部１０２内の充電用二次コイルＣＯＬ（２）との間での電磁誘導によって、電池部１０２内の二次電池ＢＡＴへの充電が開始される。また、携帯電話機１からの充電抑制指示を、非接触通信部２０５を介して受信したときには（図１０のステップＢ５でＹＥＳ）、中央制御部２０１は、充電部２０４内の充電切替部ＳＷＢに対して充電抑制指示を与え、充電不可能状態に切り替えて充電を抑制させる（ステップＢ６）。そして、発光部２０７を消光させた後（ステップＢ７）、ステップＢ２に戻る。
【００５０】
また、携帯電話機１が充電装置２に載置されている状態において、携帯電話機１側で、載置が外されたことを検出したときには（図７のステップＡ８でＹＥＳ）、電池部１０２内の充電切替部ＳＷＡに対して充電抑制指示を与え、充電不可能な状態に切り替えて充電を抑制させる（ステップＡ９）。そして、発光部１０９Ｂを消光させると共に（ステップＡ１０）、載置フラグ、充電中フラグ、充電保留フラグをそれぞれ“０”とした後（ステップＡ１１）、上述のステップＡ２に戻る。
【００５１】
充電装置２側においても、載置されていた携帯電話機１が外されたことを検出したときには（図１０のステップＢ８でＹＥＳ）、充電部２０４内の充電切替部ＳＷＢに対して充電抑制指示を与え、充電不可能状態に切り替えて充電を抑制させる（ステップＢ６）。そして、発光部２０７を消光させた後（ステップＢ７）、ステップＢ２に戻る。これによって携帯電話機１と充電装置２との間での充電が終了するようになる。
【００５２】
以上のように、第１実施形態において携帯電話機１は、充電装置２に載置されたことを検出した際に、筐体の使用状態を示すスタイルに基づいて充電を制御するようにしたので、携帯電話機１のスタイルに応じて携帯電話機１の充電を携帯電話機１側で適切に制御することができる。従って、例えば、ユーザにあっては充電制御のために特別なキーを操作する必要はなく、スタイルを変えるだけで、“充電する”、“充電しない”などに切り替えることができるほか、スタイルを確認するだけで現在の充電状態を知ることもでき、利便性を高め、実用性に富んだものとなる。
【００５３】
携帯電話機１は、充電条件記憶部Ｍ１３からスタイル対応の充電条件を読み出し、この充電条件に基づいて充電を制御するようにしたので、充電条件に従って色々な充電制御が可能となり、携帯電話機１の充電を適切に制御することができる。
【００５４】
携帯電話機１は、スタイル及び充電状態に基づいて充電を制御するようにしたので、実情に即した充電制御が可能となるほか、色々な充電制御も可能となり、携帯電話機１の充電を適切に制御することができる。
【００５５】
携帯電話機１は、充電を制御するための制御情報を充電装置２に送信するようにしたので、携帯電話機１と充電装置２との連携によって、携帯電話機１の充電を適切に制御することができる。
【００５６】
（実施形態２）
以下、この発明の第２実施形態について図１１〜図１７を参照して説明する。
なお、上述した第１実施形態においては、携帯電話機１側に充電条件記憶部Ｍ１３を設けた場合を例示したもので、携帯電話機１は充電装置２に載置された際に、充電条件記憶部Ｍ１３を参照し、現在のスタイル対応の充電条件に基づいて充電を制御するようにしたが、この第２実施形態においては、充電装置２側に充電条件記憶部（後述する）を設けるようにし、充電装置２は、自己の充電条件記憶部を参照し、携帯電話機１から受信取得したスタイル対応の充電条件に基づいて充電を制御するようにしたものである。ここで、両実施形態において基本的あるいは名称的に同一のものは、同一符号を付して示し、その説明を省略すると共に、以下、第２実施形態の特徴部分を中心に説明するものとする。
【００５７】
図１１は、第２実施形態において携帯電話機１側の記憶部１０３を説明するための図で、第１実施形態で示した図１の記憶部１０３に代わるもので、携帯電話機１の他の各構成要素は、第１実施形態と同様であるためにそれらを図示省略したものである。
第２実施形態の記憶部１０３は、プログラム記憶部Ｍ１１、各種情報一時記憶部Ｍ１２を有し、第２実施形態では、図１で示した充電条件記憶部Ｍ１３を有しない構成となっている。プログラム記憶部Ｍ１１は、後述する図１７に示した動作手順に応じて本実施形態を実現するための基本プログラムやアプリケーションプログラム、それに必要な情報などを記憶する。各種情報一時記憶部Ｍ１２は、携帯電話機１が動作するために必要な各種の情報を一時的に記憶するワーク領域である。
【００５８】
図１２は、第２実施形態において充電装置２側の記憶部２０３を説明するための図で、第１実施形態で示した図１の記憶部２０３に代わるもので、充電装置２の他の各構成要素は、第１実施形態と同様であるためにそれらを図示省略したものである。
第２実施形態の記憶部２０３は、プログラム記憶部Ｍ２１、各種情報一時記憶部Ｍ２２のほか、この第２実施形態では充電条件記憶部Ｍ２３を有する構成となっている。プログラム記憶部Ｍ２１は、後述する図１４〜図１６に示した動作手順に応じて本実施形態を実現するための基本プログラムやアプリケーションプログラム、それに必要な情報などを記憶する。各種情報一時記憶部Ｍ２２は、フラグ情報（第１実施形態では携帯電話機１側に設けた同様の充電中フラグ、載置フラグ、充電保留フラグ）、画面情報など、充電装置２が動作するために必要な各種の情報を一時的に記憶するワーク領域である。
【００５９】
図１３は、充電装置２側の充電条件記憶部Ｍ２３を説明するための図である。
充電条件記憶部Ｍ２３は、携帯電話機１を構成する筐体の「スタイル」に対応付けて充電条件の「内容」を記憶するもので、図示の例では、“クローズスタイル”に対応して“通常充電”が記憶され、“オープンスタイル”に対応して“充電しない”が記憶され、“ビュースタイル”に対応して“急速充電”が記憶されている。なお、この「スタイル」に対応する充電条件の「内容」は、ユーザ操作によって任意に設定可能となっている。なお、“急速充電”とは、例えば、“通常充電”で１〜２時間要していた充電が１０分〜１５分の時間で足りる充電方法である。充電装置２は、携帯電話機１が載置された際に、携帯電話機１に対してスタイル情報要求を行い、それに応答して受信したスタイル情報に基づいて充電条件記憶部Ｍ２３を検索し、そのスタイル対応の充電条件を読み出して、この充電条件に応じて充電を制御するようにしている。
【００６０】
このように第２実施形態においては、“通常充電”のほかに“急速充電”が可能となっているため、充電部２０４内の充電切替部ＳＷＢは、“通常充電”、“急速充電”、“充電しない”との切り替えを可能としている。すなわち、充電切替部ＳＷＢは、通常充電開始指示を受けたときには、“通常充電”に切り替えるが、急速充電開始指示を受けたときには、“通常充電”で１〜２時間要していた充電を１０分〜１５分で行う“急速充電”に切り替えるようにしている。
【００６１】
図１４は、第２実施形態において充電装置２側の全体動作の概要を示したフローチャートである。図１７は、第２実施形態において携帯電話機１側の全体動作の概要を示したフローチャートである
先ず、充電装置２側において中央制御部２０１は、電源を投入する電源オン操作が行われると（図１４のステップＥ１でＹＥＳ）、携帯電話機１が載置されたかを調べたり（ステップＥ２）、携帯電話機１が載置中であることを示す載置フラグが“１”であるかを調べたり（ステップＥ４）、載置されている携帯電話機１が外されたかを調べたり（ステップＥ６）、電源オフ操作が行われたかを調べたり（ステップＥ１０）、その他の操作が行われたかを調べたりする（ステップＥ１２）。いま、電源オフ操作が行われたときには（ステップＥ１０でＹＥＳ）、電源オフ処理を行った後（ステップＥ１１）、このフローの終了となるが、その他の操作が行われたときには（ステップＥ１２でＹＥＳ）、その操作に応じた処理を行った後（ステップＥ１３）、上述のステップＥ２に戻る。
【００６２】
一方、携帯電話機１側において中央制御部１０１は、電源を投入する電源オン操作が行われると（図１７のステップＦ１でＹＥＳ）、充電装置２側から充電を制御するための制御情報を受信したかを調べたり（ステップＦ２、Ｆ５、Ｆ８、Ｆ１１、Ｆ１４）、充電装置２との載置が外れたかを調べたり（ステップＦ１７）、電話着信を検出したかを調べたり（ステップＦ１８）、電源オフ操作が行われたかを調べたり（ステップＦ２０）、その他の操作が行われたかを調べたりする（ステップＦ２２）。いま、電話着信を検出したときには（ステップＦ１８でＹＥＳ）、通話可能状態とする通話処理を行った後（ステップＦ１９）、上述のステップＦ２に戻る。電源オフ操作が行われたときには（ステップＦ２０でＹＥＳ）、電源オフ処理を行った後（ステップＦ２１）、このフローの終了となるが、その他の操作が行われたときには（ステップＦ２２でＹＥＳ）、その操作に応じた処理を行った後（ステップＦ２３）、上述のステップＦ２に戻る。
【００６３】
いま、充電装置２側において、携帯電話機１の載置を検出すると、つまり、携帯電話機１側の電池部１０２と充電装置２側の充電部２０４との間において、電磁誘導作用による起電力が所定値よりも大きくなって、携帯電話機１が載置されたことを検出したときには（図１４のステップＥ２でＹＥＳ）、現在のスタイルに対応する充電条件に応じて充電を開始するか否かを制御する充電開始処理に移る（ステップＥ３）。
【００６４】
図１５は、第２実施形態において充電装置２側の充電開始処理（図１４のステップＥ３）を詳述するためのフローチャートである。
先ず、充電装置２側において中央制御部２０１は、非接触通信部２０５から携帯電話機１に対してスタイル情報要求を送信した後（ステップＧ１）、携帯電話機１から送信されてくるスタイル情報の受信待ち状態となる（ステップＧ２）。
【００６５】
ここで、携帯電話機１側では、充電装置２からのスタイル情報要求を、非接触通信部１１０を介して受信すると（図１７のステップＦ２でＹＥＳ）、スタイル検出部１１１によって検出された現在のスタイルを取得し（ステップＦ３）、このスタイル情報を非接触通信部１１０から充電装置２に対して送信した後（ステップＦ４）、上述のステップＦ２に戻る。
【００６６】
充電装置２側では、携帯電話機１からのスタイル情報を受信すると（図１５のステップＧ２でＹＥＳ）、このスタイル情報に基づいて充電条件記憶部Ｍ２３を検索することによって該当する充電条件を読み出して（ステップＧ３）、各種情報一時記憶部Ｍ２２に一時記憶させると共に（ステップＧ４）、その充電条件の内容を判別し、“通常充電”の充電条件を読み出したのかを調べたり（ステップＧ５）、“急速充電”／“充電しない”の充電条件を読み出したのかを調べたりする（ステップＧ１１）。
【００６７】
いま、“通常充電”の充電条件を読み出したときには（ステップＧ５でＹＥＳ）、非接触通信部２０５を動作させて、通常充電開始指示を携帯電話機１側の非接触通信部１１０に対して送信するほか（ステップＧ６）、充電部２０４内の充電切替部ＳＷＢに対して通常充電開始指示を与え、充電可能状態に切り替えて通常充電を開始させる（ステップＧ７）。そして、発光部２０６を発光（例えば、赤色点灯）させると共に（ステップＧ８）、充電中であることを示すために充電中フラグを“１”とし（ステップＧ９）、更に、携帯電話機１が載置中であることを示すために載置フラグを“１”とする（ステップＧ１０）。
【００６８】
また、“急速充電”の充電条件を読み出したときには（ステップＧ１１でＹＥＳ）、急速充電開始指示を携帯電話機１側に対して送信するほか（ステップＧ１２）、充電部２０４内の充電切替部ＳＷＢに対して急速充電開始指示を与え、充電可能状態に切り替えて急速充電を開始させる（ステップＧ１３）。そして、発光部２０６を発光（例えば、赤色点滅）させると共に（ステップＧ１４）、充電中フラグを“１”とし（ステップＧ９）、更に、載置フラグを“１”とする（ステップＧ１０）。また、“充電しない”の充電条件を読み出したときには（ステップＧ１１でＮＯ）、充電抑制指示を携帯電話機１側に対して送信するほか（ステップＧ１５）、充電部２０４内の充電切替部ＳＷＢに対して充電抑制指示を与え、充電不可能状態に切り替えて充電を抑制させた後（ステップＧ１６）、載置フラグを“１”とする（ステップＧ１０）。
【００６９】
このようにして充電装置２側で図１５の充電開始処理（図１４のステップＥ３）が終わると、上述のステップＥ２に戻るが、いま、携帯電話機１が載置されていて、載置フラグが“１”となっているため、そのことがステップＥ４で検出されてステップＥ５に移り、充電継続処理を行う。
【００７０】
図１６は、第２実施形態において充電装置２側の充電継続処理（図１４のステップＥ５）を詳述するためのフローチャートである。
先ず、中央制御部２０１は、充電中フラグは“１”であるかを調べ（ステップＨ１）、充電中フラグが“１”であれば（ステップＨ１でＹＥＳ）、非接触通信部２０５から携帯電話機１に対して電池残量情報要求を送信した後（ステップＨ２）、携帯電話機１から送信されてくる電池残量情報の受信待ち状態となる（ステップＨ３）。
【００７１】
ここで、携帯電話機１側では、充電装置２からの電池残量情報要求を、非接触通信部１１０を介して受信すると（図１７のステップＦ５でＹＥＳ）、電池電圧検出部ＢＶＤからの電圧値に基づいて電池残量を検出し（ステップＦ６）、この電池残量情報を非接触通信部１１０から要求元の充電装置２に対して送信した後（ステップＦ７）、上述のステップＦ２に戻る。
【００７２】
充電装置２側では、携帯電話機１からの電池残量情報を受信すると（図１６のステップＨ３でＹＥＳ）、電池残量は満充電（フル充電）状態の“１００％”であるかを調べ（ステップＨ４）、“１００％”でなければ（ステップＨ４でＮＯ）、充電を継続させるために、図１４のステップＥ２に戻るが、“１００％”であれば（ステップＨ４でＹＥＳ）、充電抑制指示を携帯電話機１側に対して送信するほか（ステップＨ５）、充電部２０４内の充電切替部ＳＷＢに対して充電抑制指示を与え、充電不可能な状態に切り替えて充電を抑制させる（ステップＨ６）。そして、発光部２０７を消光させた後（ステップＨ７）、充電中フラグを“０”とすると共に（ステップＨ８）、充電保留フラグを“１”とする（ステップＨ９）。
【００７３】
ここで、携帯電話機１側においては、充電装置２側からの充電抑制指示を受信すると（図１７のステップＦ１４でＹＥＳ）、電池部１０２内の充電切替部ＳＷＡに対して充電抑制指示を与え、充電不可能状態に切り替えて充電を抑制させる（ステップＦ１５）。そして、発光部１０９Ｂを消光させた後（ステップＦ１６）、ステップＦ２に戻る。
【００７４】
また、充電装置２側において充電中フラグが“０”であれば（図１６のステップＨ１でＮＯ）、充電保留フラグは“１”であるかを調べ（ステップＨ１０）、充電保留フラグが“０”であれば（ステップＨ１０でＮＯ）、充電中でも充電保留中でもなく、充電しない場合であるから、図１４のステップＥ２に戻るが、充電保留フラグが“１”であれば（ステップＨ１０でＹＥＳ）、つまり、携帯電話機１が載置されている状態で充電保留中の場合には、充電条件に応じて充電を開始させる処理に移る（ステップＨ１１〜Ｈ２０）。すなわち、携帯電話機１が載置された載置直後には、電池残量が１００％であったため充電を抑制したが、その後、載置されたまま時間が経過し、電池残量が少なくなって充電条件を満たすようになった場合に充電を開始させるために、充電開始処理に移る（ステップＨ１１〜Ｈ２４）。また、通常充電後や急速充電後に電池残量が１００％になったために充電を一旦終了させたが、その後、載置されたまま時間が経過し、電池残量が少なくなって充電条件を満たすようになった場合に充電を開始させるために、充電開始処理に移る（ステップＨ１１〜Ｈ２４）。
【００７５】
先ず、非接触通信部２０５から携帯電話機１に対して電池残量情報要求を送信した後（ステップＨ１１）、携帯電話機１から送信されてくる電池残量情報の受信待ち状態となる（ステップＨ１２）。ここで、携帯電話機１からの電池残量情報を受信すると（ステップＨ１２でＹＥＳ）、電池残量は満充電（フル充電）状態の“１００％”未満であるかを調べ（ステップＨ１３）、“１００％”であれば（ステップＨ１３でＮＯ）、充電の必要がないために、図１４のステップＥ２に戻る。また、“１００％”未満であれば（ステップＨ４でＮＯ）、図１５のステップＧ４で一時記憶した充電条件を読み出し（ステップＨ１４）、その充電条件の内容を判別し、“通常充電”の充電条件を読み出したのかを調べたり（ステップＨ１５）、“急速充電”／“充電しない”の充電条件を読み出したかを調べたりする（ステップＨ２１）。
【００７６】
いま、“通常充電”の充電条件を読み出したときには（ステップＨ１５でＹＥＳ）、通常充電開始指示を携帯電話機１側に対して送信するほか（ステップＨ１６）、充電部２０４内の充電切替部ＳＷＢに対して通常充電開始指示を与え、充電可能状態に切り替えて通常充電を開始させる（ステップＨ１７）。そして、発光部２０６を発光（例えば、赤色点灯）させると共に（ステップＨ１８）、充電中であることを示すために充電中フラグを“１”とし（ステップＨ１９）、更に、携帯電話機１が載置中であることを示すために載置フラグを“１”とする（ステップＨ２０）。
【００７７】
ここで、携帯電話機１側においては、充電装置２側からの通常充電開始指示を受信すると（図１７のステップＦ８でＹＥＳ）、電池部１０２内の充電切替部ＳＷＡに対して通常充電開始指示を与え、充電可能状態に切り替えて通常充電を開始させる（ステップＦ９）。そして、発光部１０９Ｂを発光（例えば、赤色点灯）させた後（ステップＦ１０）、ステップＦ２に戻る。
【００７８】
また、充電装置２側で“急速充電”の充電条件を読み出したときには（ステップＨ２１でＹＥＳ）、急速充電開始指示を携帯電話機１側に対して送信するほか（ステップＨ２２）、充電部２０４内の充電切替部ＳＷＢに対して急速充電開始指示を与え、充電可能状態に切り替えて急速充電を開始させる（ステップＨ２３）。そして、発光部２０６を発光（例えば、赤色点滅）させると共に（ステップＨ２４）、充電中フラグを“１”とし（ステップＨ１９）、更に、載置フラグを“１”とする（ステップＨ２０）。また、“充電しない”の充電条件を読み出したときには（ステップＨ２１でＮＯ）、充電する必要がないために、図１４のステップＥ２に戻る。
【００７９】
ここで、携帯電話機１側においては、充電装置２側からの急速充電開始指示を受信すると（図１７のステップＦ１１でＹＥＳ）、電池部１０２内の充電切替部ＳＷＡに対して急速充電開始指示を与え、充電可能状態に切り替えて急速充電を開始させる（ステップＦ１２）。そして、発光部１０９Ｂを発光（例えば、赤色点滅）させた後（ステップＦ１３）、ステップＦ２に戻る。
【００８０】
また、充電装置２側では、携帯電話機１が載置されている状態において、携帯電話機１の載置が外されたことを検出すると（図１４のステップＥ６でＹＥＳ）、載置フラグ、充電中フラグ、充電保留フラグをそれぞれ“０”とし（ステップＥ７）、更に、充電部２０４内の充電切替部ＳＷＢに対して充電抑制指示を与え、充電不可能状態に切り替えて充電を抑制させると共に（ステップＥ８）、発光部２０７を消光させた後（ステップＥ９）、上述のステップＥ２に戻る。
【００８１】
同様に、携帯電話機１側においても、充電装置２への載置が外されたことを検出すると（図１７のステップＦ１７でＹＥＳ）、電池部１０２内の充電切替部ＳＷＡに対して充電抑制指示を与え、充電不可能な状態に切り替えて充電を抑制させる（ステップＦ１５）。そして、発光部１０９Ｂを消光させた後（ステップＦ１６）、ステップＦ２に戻る。
【００８２】
以上のように、第２実施形態において充電装置２は、携帯電話機１が載置された場合に、この携帯電話機１のスタイルに基づいて携帯電話機１に対する充電を制御するようにしたので、携帯電話機１のスタイルに応じて携帯電話機１の充電を充電装置２側で適切に制御することができる。従って、例えば、ユーザにあっては充電制御のために特別なキーを操作する必要はなく、スタイルを変えるだけで、“充電する”、“充電しない”などに切り替えることができるほか、スタイルを確認するだけで現在の充電状態を知ることもでき、利便性を高め、実用性に富んだものとなる。
【００８３】
充電装置２は、充電条件記憶部Ｍ２３からスタイル対応の充電条件を読み出し、この充電条件に基づいて充電を制御するようにしたので、充電条件に従って色々な充電制御が可能となり、携帯電話機１の充電を適切に制御することができる。
【００８４】
充電装置２は、スタイル及び充電状態に基づいて充電を制御するようにしたので、実情に即した充電制御が可能となるほか、色々な充電制御も可能となり、携帯電話機１の充電を適切に制御することができる。
【００８５】
充電装置２は、充電を制御するための制御情報を携帯電話機１に送信するようにしたので、携帯電話機１と充電装置２との連携によって、携帯電話機１の充電を適切に制御することができる。
【００８６】
充電装置２は、スタイルを示すスタイル情報を携帯電話機１から受信取得することによって検出するようにしたので、携帯電話機１のスタイルを容易に検出することができる。
【００８７】
なお、上述した各実施形態においては、上述した第１実施形態と第２実施形態の一部分を適宜組み合わせるようにしてもよい。例えば、第１実施形態の充電条件を、“急速充電”と“通常充電”などとしてもよいし、電池残量が所定の割合未満の場合には“急速充電”、所定の割合以上の場合には、“通常充電”などとしてもよい。また、第２実施形態の充電条件を、電池残量が所定の割合未満の場合に“充電する”としてもよい。
【００８８】
上述した各実施形態においては、充電条件として、１つのスタイルに対応して１つの充電条件を記憶するようにしたが、例えば、１つのスタイルに対応して複数種類の充電条件を記憶するようにしてもよい。例えば、ビュースタイルに対応して、“充電する”と“電池残量が３０％より少なくなれば充電する”の２種類の充電条件を記憶しておき、そのいずれかの条件をユーザ操作に応じて選択、あるいは時間帯などに応じて自動的に選択し、この選択条件に応じた充電制御を行うようにしてよい。
【００８９】
また、上述した各実施形態においては、携帯電話機１と充電装置２との間での電磁誘導方式によって充電を行う場合を示したが、電磁共鳴方式などの任意の方式によって非接触充電を行うようにしてもよい。この場合、携帯電話機１と充電装置２との間での電磁誘導作用による起電力が所定値よりも大きいことを条件に載置を検出するようにしたが、電磁共鳴作用が所定値よりも大きいことを条件に載置を検出するようにしてもよく、また、接触センサなどの任意の検出方法で載置を検出するようにしてもよい。また、任意の方式によって携帯電話機１と充電装置２とを直接的に接触させる接触充電方式（例えば、接点充電方式、充電ケーブルによる充電方式）で充電を行うようにしてもよい。
【００９０】
上述した各実施形態においては、携帯電話機１及び充電装置２側に配設した発光部として、ＬＥＤを示したが、着色型蛍光管など、任意の発光体であってもよい。また、発光部を点灯や点滅を行う際に、発光色を変えたり、輝度を変えたりするようにしてもよい。
【００９１】
また、上述した各実施形態において、“載置”とは充電装置２の上に携帯電話機１を載せる場合に限らず、例えば、携帯電話機１の上に充電装置２を載せたり、横向き状態の携帯電話機１と充電装置２とを近接させたり、その他、立てかけ式の充電装置２では、携帯電話機１を吊したりする場合など、携帯電話機１への充電が可能となるように、携帯電話機１と充電装置２とを任意の方向から接続することも含めるようにしてもよい。この場合、充電装置２の筐体の全体形状も矩形の箱体に限らず、任意である。
【００９２】
上述した各実施形態においては、折り畳みタイプの携帯電話機に適用したが、ストレートタイプ、スライドタイプ、スピントップタイプなど任意の筐体構造であってもよい。また、上述した各実施形態においては、スタイルをクローズスタイル、オープンスタイル、ビュースタイルとしたが、筐体構造に応じた任意のスタイルであってよい。また、上述した実施形態においては、端末装置として携帯電話機を例示したが、これに限らず、例えば、パーソナルコンピュータ、ＰＤＡ、デジタルカメラ、音楽プレイヤー、それらの複合機など、任意の端末装置であってもよい。
【００９３】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００９４】
１  携帯電話機
２  充電装置
３  無線通信網
１０１、２０１  中央制御部
１０２  電池部
１０３、２０３  記憶部
１０９Ｂ、２０７  発光部
１１０、２０５  非接触通信部
１１１  スタイル検出部
２０４  充電部
ＢＡＴ  二次電池
ＣＯＬ（１）  充電用一次コイル
ＣＯＬ（２）  充電用二次コイル
ＳＷＡ、ＳＷＢ  充電切替部
【図１】
0005419152.tif 000002
【図２】
0005419152.tif 000003
【図３】
0005419152.tif 000004
【図４】
0005419152.tif 000005
【図５】
0005419152.tif 000006
【図６】
0005419152.tif 000007
【図７】
0005419152.tif 000008
【図８】
0005419152.tif 000009
【図９】
0005419152.tif 000010
【図１０】
0005419152.tif 000011
【図１１】
0005419152.tif 000012
【図１２】
0005419152.tif 000013
【図１３】
0005419152.tif 000014
【図１４】
0005419152.tif 000015
【図１５】
0005419152.tif 000016
【図１６】
0005419152.tif 000017
【図１７】
0005419152.tif 000018